(57)【要約】【課題】記録メディアを介さずに撮影された画像の画像データを管理する【解決手段】宿泊者に宿泊者の部屋番号に対応するＩＤを記憶したデジタルカメラ１０を貸与し、カメラ１０は撮影する毎に、撮影されて得られた画像データ及び該ＩＤを対応して送信する。画像データ及びＩＤは転送装置４０を介してホテル内管理装置８０に送信され、記憶される。ホテル内管理装置では、画像データに基づいてプリント処理し、プリント処理により得られたプリントを宿泊者の部屋に届ける。【選択図】　図１
2004147023.tif 000002
【特許請求の範囲】
【請求項１】
識別情報を記憶した撮影装置での撮影により得られた画像データ及び該識別情報を対応して該撮影装置から送信し、
前記撮影装置から送信された前記識別情報及び前記画像データを受信し、
前記画像データに基づいてプリント処理し、
前記プリント処理により得られたプリントを前記識別情報に対応して管理する、
画像データ管理方法。
【請求項２】
前記受信した前記識別情報及び前記画像データを対応して記憶するステップを更に備え、
前記プリント処理のステップでは、
画像データの送信要求及び識別情報を送信し、
前記送信された識別情報と、前記対応して記憶された前記識別情報及び前記画像データと、に基づいて、前記送信要求に応じて画像データを該送信要求の送信元に送信し、
前記送信元で、受信した画像データに基づいて画像を表示し、
前記送信元からプリント処理を指示し、
前記プリント処理の指示があった場合に、プリント処理の指示内容に従って、前記プリント処理する、
ことを特徴とする請求項１記載の画像データ管理方法。
【請求項３】
前記送信要求及び識別情報の送信のステップでは、宿泊施設内の部屋に配置された送信要求送信装置から前記送信要求及び識別情報を送信することを特徴とする請求項２記載の画像データ管理方法。
【請求項４】
前記プリントの前記識別情報に対応する管理は、前記識別情報に対応する部屋に前記プリントを届けること、前記識別情報に対応する部屋の宿泊者に前記プリントを渡すこと、前記識別情報に対応する部屋の宿泊者により指定された場所に届けること、の少なくとも何れかであることを特徴とする請求項３記載の画像データ管理方法。
【請求項５】
識別情報を記憶した撮影装置を貸与し、
前記画像データ及び前記識別情報の送信のステップでは、前記貸与された前記撮影装置での撮影によって得られた画像データ及び前記識別情報を対応して送信する、
ことを特徴とする請求項１乃至請求項４の何れか１項に記載の画像データ管理方法。
【請求項６】
前記画像データ及び前記識別情報の送信のステップでは、所定領域内で前記撮影装置での撮影によって得られた画像データ及び前記識別情報を対応して送信することを特徴とする請求項１乃至請求項５の何れか１項に記載の画像データ管理方法。
【発明の詳細な説明】
【０００１】
【発明の属する技術分野】
本発明は、画像データ管理方法に係り、より詳しくは、撮影装置での撮影により得られた画像データを管理する画像データ管理方法に関する。
【０００２】
【従来の技術】
従来、ホテル、旅館などでのサービスとして、ホテルの部屋の端末装置からデジタルカメラの記録メディアを介して写真を取り込み、画像データのプリントの注文を行なう画像情報印刷システムが提案されている（特許文献１参照）。
【０００３】
【特許文献１】
特開２００１−３３３３５５号公報
【０００４】
【発明が解決しようとする課題】
しかしながら、この画像情報印刷システムでは、上記のように、記録メディアを介して画像データを端末装置に入力しているので、操作上誤って画像データを消去してしまうなど、記録メディアによる制限があった。
【０００５】
本発明は、上記事実に鑑みなされたもので、記録メディアを介さずに撮影された画像の画像データを管理する画像データ管理方法を提供することを目的とする。
【０００６】
【課題を解決するための手段】
上記目的達成のため請求項１記載の発明は、識別情報を記憶した撮影装置での撮影により得られた画像データ及び該識別情報を対応して該撮影装置から送信し、前記撮影装置から送信された前記識別情報及び前記画像データを受信し、前記画像データに基づいてプリント処理し、前記プリント処理により得られたプリントを前記識別情報に対応して管理する。
【０００７】
即ち、本発明に係る画像データ管理方法は、識別情報を記憶した撮影装置での撮影により得られた画像データ及び該識別情報を対応して該撮影装置から送信する。
【０００８】
ここで、本発明では、請求項５記載の発明のように、識別情報を記憶した撮影装置を貸与し、前記画像データ及び前記識別情報の送信のステップでは、前記貸与された前記撮影装置での撮影により得られた画像データ及び前記識別情報を対応して送信するようにしてもよい。
【０００９】
また、請求項６記載の発明のように、前記画像データ及び前記識別情報の送信のステップでは、所定領域内で前記撮影装置での撮影により得られた画像データ及び前記識別情報を対応して送信するようにしてもよい。
【００１０】
よって、例えば、利用者に撮影装置を貸与し、撮影装置を貸与された利用者は処理領域、例えば、テーマパーク内等において撮影装置で撮影し、撮影装置での撮影により得られた画像データ及び前記識別情報を対応して送信するようにしてもよい。
【００１１】
また、本発明は、前記撮影装置から送信された前記識別情報及び前記画像データを受信し、前記画像データに基づいてプリント処理する。
【００１２】
ここで、本発明は、請求項２記載の発明のように、前記受信した前記識別情報及び前記画像データを対応して記憶するステップを更に備え、前記プリント処理のステップでは、画像データの送信要求及び識別情報を送信し、前記送信された識別情報と、前記対応して記憶された前記識別情報及び前記画像データと、に基づいて、前記送信要求に応じて画像データを該送信要求の送信元に送信し、前記送信元で、受信した画像データに基づいて画像を表示し、前記送信元からプリント処理を指示し、前記プリント処理の指示があった場合に、プリント処理の指示内容に従って、前記プリント処理するようにしてもよい。
【００１３】
この場合、請求項３記載の発明のように、前記送信要求及び識別情報の送信のステップでは、宿泊施設内の部屋に配置された送信要求送信装置から前記送信要求及び識別情報を送信するようにしてもよい。なお、この場合、識別情報は部屋に対応するようにしてもよい。また、送信要求送信装置は上記所定領域内に複数配置してもよい。
【００１４】
そして、本発明は、前記プリント処理により得られたプリントを前記識別情報に対応して管理する。
【００１５】
ここで、プリントの識別情報に対応する管理は、請求項４記載の発明のように、前記識別情報に対応する部屋に前記プリントを届けること、前記識別情報に対応する部屋の宿泊者に前記プリントを渡すこと、前記識別情報に対応する部屋の宿泊者により指定された場所に届けること、の少なくとも何れかとしてもよい。
【００１６】
以上説明したように、識別情報を記憶した撮影装置で撮影された画像の画像データ及び該識別情報を対応して該撮影装置から送信し、画像データに基づいてプリント処理し、プリント処理により得られたプリントを識別情報に対応して管理しているので、記録メデイアを用いずに画像データの管理をすることができる。
【００１７】
【発明の実施の形態】
以下、図面を参照して、本発明の実施の形態を詳細に説明する。
【００１８】
図１に示すように、本実施の形態に係る画像データ管理方法を実行する画像データ管理システムは、撮影装置としてのデジタルカメラ１０から送信された画像データ及び識別情報を受信し、転送する、テーマパーク内に配置された複数の転送装置４０、転送装置４０と通信する、テーマパーク内に配置された複数の注文装置６０、及び、ホテル内に配置されたホテル内管理装置８０を備えている。
【００１９】
図２には、本実施の形態に係るデジタルカメラ１０の概略構成が示されている。このデジタルカメラ１０は、当該デジタルカメラ１０の動作全般の主制御部であるＣＰＵ１２、撮像系制御部１４、画像圧縮／伸張部１６、液晶ディスプレイ（ＬＣＤ）１８Ａの表示制御を行うＬＣＤ制御部１８、内蔵メモリ２０、通信インターフェース（通信Ｉ／Ｆ）２２Ａの制御を行う通信制御部２２、メディアインターフェース（メディアＩ／Ｆ）２４、及び暗号化／復号化部２６を主要構成としており、各々がバス２８を介して相互に各種データの授受可能に接続されている。
【００２０】
ここで、内蔵メモリ２０は、主として撮影によって得られたデジタル画像データを一時的に記憶するＲＡＭ、及び各種制御プログラムや所定のパラメータ等を予め記憶するＲＯＭを含んで構成されている。内臓メモリ２０には、該デジタルカメラを識別するＩＤ（識別情報）が記憶されている。なお、デジタルカメラ１０はホテルの部屋毎に備えられ、各デジタルカメラ１０のＩＤはホテル内の部屋（部屋番号）にも対応して定められている。
【００２１】
通信制御部２２は、通信Ｉ／Ｆ２２Ａを介して無線又は有線によって、撮影して得られた画像の画像データ及び上記ＩＤの送信等のためのものである。
【００２２】
図３に示すように、転送装置４０は、デジタルカメラ１０、注文装置、及びホテル内管理装置８０と通信するための通信装置４０に、制御装置４４、及び記憶装置４６を備えている。
【００２３】
図４に示すように、注文装置６０は、注文装置本体６２、表示装置６４、及び入力装置６６を備えて構成されている。注文装置本体６２は、表示装置６４及び入力装置６６と接続された入出力（Ｉ／Ｏ）ポート６８、制御装置７０、及びデジタルカメラ１０、転送装置４０、及びホテル内管理装置８０と通信するための通信装置７２を備えている。
【００２４】
図５に示すように、ホテル内管理装置８０は、ホテル内の各部屋に配置された複数の送信要求送信装置としての部屋内管理装置８２、及び複数の部屋内管理装置８２に接続された集中管理装置８４を備えている。部屋内管理装置８２は、管理装置本体８６、表示装置８８、及び入力装置９４を備えている。管理装置本体８６は、表示装置８８、入力装置９４、及び集中管理装置８４と接続された入出力（Ｉ／Ｏ）ポート９０及び制御装置９２を備えている。集中管理装置８４は、集中管理装置本体９６、記憶装置９８、及びプリンター１００を備えている。集中管理装置本体９６は、部屋内管理装置８２の管理装置本体８６内の入出力ポート９０、記憶装置９８、及びプリンター１００と接続された入出力（Ｉ／Ｏ）ポート１０２、通信装置１０６、及び制御装置１０４を備えている。
【００２５】
次に、本実施の形態に係る画像データ管理方法（本実施の形態の作用）を説明する。
【００２６】
図１に示すように、ホテルの宿泊者には、ホテルチェックイン時又はテーマパーク入園時等に、宿泊者が宿泊する部屋に対応して備えられた、即ち、部屋番号に対応するＩＤを記憶したデジタルカメラ１０を貸与する。デジタルカメラが貸与された宿泊者は、テーマパークに入園する。テーマパークに入園した宿泊者は貸与されたデジタルカメラ１０を用いてテーマパーク内等で撮影をする。なお、情報を入力かつ入力した情報を記憶かつ送信可能に構成された自己のデジタルカメラ１０を有する場合には、部屋番号をＩＤとして入力した後、デジタルカメラ１０を用いてテーマパーク内等で撮影をする。
【００２７】
デジタルカメラ１０は、撮影によって画像データが得られる毎に、画像データ及びデジタルカメラ１０が記憶している上記ＩＤを対応して、転送装置４０に転送する。尚、デジタルカメラ１０から画像データ及びＩＤの転送装置４０への転送は、有線を使ってもよく無線で転送するようにしてもよい。即ち、デジタルカメラ１０から転送装置４０に無線で通信してもよいが、デジタルカメラ１０を転送装置４０に接続して有線で画像データ及びＩＤを送るようにしてもよい。なお、デジタルカメラ１０に最も近い転送装置４０が画像データを受け取る。
【００２８】
デジタルカメラ１０から画像データ及びＩＤを受信した転送装置４０は、画像データ及びＩＤをホテル内管理装置８０に転送する。ホテル内管理装置８０は、転送装置４０から転送された画像データ及びＩＤを集中管理装置８４の通信装置１０６を介して受信し、受信した画像データ及びＩＤを記憶装置９８に記憶する。
【００２９】
このように、デジタルカメラ１０によって画像データが得られる毎に、画像データ及びＩＤをホテル内管理装置８０が受信し、受信した画像データ及びＩＤは対応して記憶装置９８に記憶する。なお、デジタルカメラ１０によって画像データが所定枚数分得られる毎に、画像データ及びＩＤをホテル内管理装置８０が受信し、受信した画像データ及びＩＤを対応して記憶装置９８に記憶するようにしてもよい。
【００３０】
デジタルカメラ１０を用いて撮影した宿泊者は、撮影によって得られた画像をプリントするプリント注文を注文装置６０を介して行なうことができる。以下、注文処理を、注文装置６０が実行するルーチンを示したフローチャート（図６参照）及びホテル内管理装置８０（集中管理装置８４）が実行するルーチンを示したフローチャート（図７参照）に沿って説明する。
【００３１】
ステップ１２０で、ＩＤを入力する。すなわち宿泊者は、宿泊者が宿泊している部屋の番号を入力する。ステップ１２４で、画像データ送信要求とＩＤを送信する。ＩＤ及び画像データ送信要求は、転送装置４０で一旦受信され且つホテル内管理装置８０に転送される。ＩＤ及び画像データ送信要求を受信したホテル内管理装置８０の集中管理装置８４は、図７に示した処理ルーチンをスタートし、ステップ１３４で、ＩＤに対応する画像データを記憶装置９８から検索する。ステップ１３６で、検索された画像データを、転送装置４０を介して注文装置６０に送信する。
【００３２】
画像データが転送装置４０を介してホテル内管理装置８０から転送されると、注文装置６０では、画像データを受信し、これによりステップ１２６が肯定判定され、ステップ１２８で、表示装置６４に画像データに基づいて画像を表示する。これにより、当該デジタルカメラ１０により撮影して得られた全ての画像を見ることができる。
【００３３】
表示装置６４に表示された画像を見て、宿泊者は当該画像のプリントを行なうか行なわないかや、行なう場合には何枚プリントするかや、プリント処理によって得られたプリントの受け取り方法を選択する。なお以下、これらの情報を含めて注文データを言う。注文データは、入力装置６６を介して入力され、ステップ１３２で注文データを、転送装置４０を介してホテル内管理装置８０に送信する。
【００３４】
ホテル内管理装置８０の集中管理装置８４が注文データを受信すると、図７に示したステップ１３８が肯定判定され、ステップ１４０で、注文データに従ったプリントを実行する。すなわち、プリント指示のあった画像データについて、注文枚数分プリント処理する。なお、プリントの裏面にＩＤ（部屋番号）を印刷し、プリントの受け取り方法を別紙に印刷、又は表示装置に表示する。
【００３５】
当該プリント処理によって得られたプリントを、ＩＤに基づいて、注文データ内で指定された受け取り方法に従って管理する。すなわち、例えば、当該プリントを宿泊者の部屋に届けたり、当該宿泊者がフロントに立ち寄った時にプリントを渡したり、宿泊者が予め指定した場所（住所など）に届けたりする。なお、これらの少なくとも何れかを行う。なお、プリントのＩＤに基づく管理が終了した後、該ＩＤに基づいて、ＩＤ及びＩＤに対応して記憶された画像データを消去する。
【００３６】
以上説明したように、本実施の形態では、デジタルカメラはＩＤを記憶し、画像データ及びＩＤを送信し、画像データに基づいてプリント処理し、プリント処理によって得られたプリントをＩＤに対応して管理するようにしているので、メディアを介して画像を管理する必要がなく、メディアによる制限を無くすことが出来る。
【００３７】
また、上記実施の形態では、撮影のために用いてデジタルカメラによって撮影されて得られた画像の画像データのみを表示し、当該表示された画像も見ながらプリントの注文をするので、自己が用いたデジタルカメラ以外で撮影されて得られた画像を見ることがないので、必要な画像のみ見るので、注文し忘れることを少なくすることができる。
【００３８】
以上説明した実施の形態では、画像データ及びＩＤを、ホテル内管理装置８０の集中管理装置８４に接続された記憶装置９８に対応して記憶するようにしているが、本発明はこれに限定されるものでなく、転送装置４０を１つ備え、転送装置４０内の記憶装置４６に記憶するようにしてもよい。すなわち、転送装置４０内の記憶装置４６に記憶されたＩＤ及び画像データに基づいて、注文装置６０は注文を処理し、ホテル内管理装置８０の集中管理装置８４はプリント処理をするようにしてもよい。
【００３９】
上記実施の形態では、デジタルカメラ１０からはＩＤ及び画像データを送信し、記憶装置にＩＤ及び画像データを記憶し、注文装置８０を介して注文の指示を行ない、注文の指示に従ってプリント処理するようにしているが、デジタルカメラから送信されたＩＤ及び画像データを受信した段階で、注文装置６０からの注文データの有無に関わらず、プリント処理し、プリント処理によって得られたプリントを予め指定された受け取り方法に従って処理するようにしてもよい。これにより注文装置６０をなくすことが出来る。
【００４０】
また、上記実施の形態では、注文装置６０を介して注文データを送信するようにしているが、本発明はこれに限定されるものでなく、ホテル内管理装置８０内の部屋内管理装置８２を介して注文データの送信を行なうようにしてもよい。すなわち、図６に示した処理ルーチンを、部屋内管理装置８２が実行するようにしてもよい。
【００４１】
更に、上記実施の形態では、更に、撮影場所毎にテンプレートを作成しておき、画像データに当該テンプレートを自動的に合成し、または、注文装置６０又は部屋内管理装置８２において、画像データに当該テンプレートを自動的に合成するか否かを選択するようにしてもよい。
【００４２】
なお、上記実施の形態では、テーマパークを撮影する例を説明したが、本発明はこれに限定されるものではなく、その他、公園や遊園地等も対象としてもよい。
【００４３】
【発明の効果】
以上説明したように、識別情報を記憶した撮影装置で撮影された画像の画像データ及び該識別情報を対応して該撮影装置から送信し、画像データに基づいてプリント処理し、プリント処理により得られたプリントを識別情報に対応して管理しているので、記録メデイアを用いずに画像データの管理をすることができる、という効果を有する。
【図面の簡単な説明】
【図１】本実施の形態に係る画像データ管理方法が示された概念図である。
【図２】デジタルカメラのブロック図である。
【図３】転送装置のブロック図である。
【図４】注文装置のブロック図である。
【図５】ホテル内管理装置のブロック図である。
【図６】注文データ送信処理ルーチンを示したフローチャートである。
【図７】プリント処理ルーチンを示したフローチャートである。
【符号の説明】
１０　デジタルカメラ
４０　転送装置
６０　注文装置
８０　ホテル内管理装置
【図１】
2004147023.tif 000003
【図２】
2004147023.tif 000004
【図３】
2004147023.tif 000005
【図４】
2004147023.tif 000006
【図５】
2004147023.tif 000007
【図６】
2004147023.tif 000008
【図７】
2004147023.tif 000009